(57)【要約】【課題】  住宅、オフィスの建物やテント構造物など、屋内空間を備えた建築構造において、屋内空間の天井や内壁の表面に付着した汚れを浄化して屋内空間を清潔に維持することができるとともに、屋内空間の空気を浄化して快適な環境を実現することができる建築構造を提供する。【解決手段】  建築構造１０の屋内に臨むように設けられ、付着した汚れや空気を浄化可能な光触媒を表面に担持した屋内側光触媒担持部３と、屋外の外光Ｒ１を反射可能な適所に設けられ、外光Ｒ１を反射してこの外光Ｒ１の反射光Ｒ２を、屋内側光触媒担持部３の光触媒に照射する反射部材４とを備えた。【選択図】      図１
2006177005.tif 000002
【特許請求の範囲】
【請求項１】
屋内空間を備えた建築構造であって、
上記建築構造の屋内に臨むように設けられ、付着した汚れや空気を浄化可能な光触媒を表面に担持した屋内側光触媒担持部と、
屋外の外光を反射可能な適所に設けられ、紫外線および／または可視光を含む外光を反射してこの外光の反射光を、上記屋内側光触媒担持部の光触媒に照射する反射部材とを備えた
ことを特徴とする建築構造。
【請求項２】
上記反射部材は、地表に設置されることを特徴とする請求項１に記載の建築構造。
【請求項３】
上記反射部材は、建築構造の外壁部または建築構造自体に設置されていることを特徴とする請求項１に記載の建築構造。
【請求項４】
上記反射部材は、外側に傾倒して外壁部に開口部を形成するとともに外光を反射してこの外光の反射光を、開口部を通して上記屋内側光触媒担持部の光触媒に照射する外光導入姿勢と、開口部を閉めた閉止姿勢との間で開閉可能に構成されていることを特徴とする請求項３に記載の建築構造。
【請求項５】
上記建築構造の屋外に臨むように設けられ、付着した汚れや空気を浄化可能な光触媒を表面に担持した屋外側光触媒担持部をさらに備えたことを特徴とする請求項１ないし請求項４のいずれかに記載の建築構造。
【請求項６】
上記屋内側光触媒担持部に担持された光触媒は、可視光に応答して、付着した汚れや空気を浄化可能な可視光応答型光触媒であり、
上記屋外側光触媒担持部に担持された光触媒は、紫外線に応答して、付着した汚れや空気を浄化可能な紫外線応答型光触媒であることを特徴とする請求項５に記載の建築構造。
【請求項７】
上記建築構造は、天井部および／または内壁部を有し、その少なくとも天井面および／または内壁面は、屋内側光触媒担持部を備えたことを特徴とする請求項１ないし請求項６のいずれかに記載の建築構造。
【請求項８】
上記建築構造は、屋根部および／または外壁部を有し、その少なくとも屋根面および／または外壁面は、屋外側光触媒担持部を備えたことを特徴とする請求項５ないし請求項７のいずれかに記載の建築構造。
【請求項９】
上記建築構造は、屋根面と天井面、および／または内壁面と外壁面が、シート状の膜部材の表裏にそれぞれ設けられたテント構造で構成されていることを特徴とする請求項７または請求項８のいずれかに記載の建築構造。
【発明の詳細な説明】
【技術分野】
【０００１】
本発明は、例えば住宅、オフィスの建物やテント構造物など、屋内空間を備えた建築構造に関するものである。
【背景技術】
【０００２】
従来、住宅、オフィスの建物やテント構造物など、屋内空間を備えた建築構造において、屋根や外壁などの部分の表面に光触媒を担持することにより、これら屋根や外壁の表面に付着した汚れを浄化したり、周囲の空気を浄化したりすることができる建築構造が一般に知られている。
【０００３】
このような建築構造では、一般に、太陽や蛍光灯からの光に含まれる紫外線に応答する光触媒を担持した光触媒担持部が屋外に臨むように設けられており、光触媒が太陽光などの強い外光を受けることにより、大気中の酸素と水分とから活性酸素などの非常に酸化反応性の高い物質を発生させるようになっている。その結果、この発生した活性酸素などの酸化反応性の高い物質が、光触媒担持部の表面に付着した有機物質などの汚れを分解して降雨の際に流れ易くすることにより、光触媒担持部の表面に付着した汚れを浄化して、建築構造の屋外部分を清潔に維持することができるようになっている。
【０００４】
また、同様に、光触媒が発生させた活性酸素などの反応性の高い物質が、空気中の有害物質である窒素酸化物（ＮＯｘ）を無害な硝酸イオンに分解するように働き、その結果、光触媒担持部の周囲の空気を浄化して建築構造の周辺において快適な環境を実現することができるようになっている。
【発明の開示】
【発明が解決しようとする課題】
【０００５】
しかしながら、上述の従来の建築構造では、屋内空間については、屋外の外光、特に紫外線が十分に届かないので、屋内の天井や内壁に光触媒担持部を設けても表面に付着した汚れや屋内空間の空気を効果的に浄化したりすることができないという問題があった。
【０００６】
屋内側で屋外側と同様に光触媒の十分な浄化効果を得るためには、別途水銀灯や蛍光灯等の紫外光源を、屋内に設けた光触媒担持部に積極的に照射しなければならないが、このように、水銀灯や蛍光灯等により屋内に設けた光触媒担持部に紫外線を照射する方法は、非常にコストがかかるため、現実的ではない。そのため、従来の建築構造では、屋内側では、光触媒効果を得ることを断念し、屋外側表面のみに光触媒を固定した屋根材等を用いることが一般的であった。
【０００７】
本発明は上記不具合に鑑みてなされたものであり、住宅、オフィスの建物やテント構造物など、屋内空間を備えた建築構造において、天井や内壁の表面に付着した汚れを浄化して、建築構造の屋内空間を清潔に維持することができるとともに、屋内空間の空気を浄化して快適な環境を実現することができる建築構造を提供することを課題としている。
【０００８】
なお、本願に記載する建築構造は、出願人の知る限りでは本願出願に類する公知例が無いため、本出願の時点では開示すべき先行技術文献情報は保有していない。
【課題を解決するための手段】
【０００９】
上記課題を解決するための本発明は、屋内空間を備えた建築構造であって、上記建築構造の屋内に臨むように設けられ、付着した汚れや空気を浄化可能な光触媒を表面に担持した屋内側光触媒担持部と、屋外の外光を反射可能な適所に設けられ、紫外線および／または可視光を含む外光を反射してこの外光の反射光を、上記屋内側光触媒担持部の光触媒に照射する反射部材とを備えたことを特徴とする建築構造である。
【００１０】
この構成によれば、反射部材が、外光の反射光を、屋内側光触媒担持部の表面に担持された光触媒に照射して、屋内側光触媒担持部の表面に付着した汚れを浄化するので、外光が届き難い屋内空間を清潔に維持することができるようになる。また、屋内側光触媒担持部に担持された光触媒が屋内空間の空気を浄化するので、屋内空間において快適な環境を実現することができる。
【００１１】
ここで、上記反射部材は、地表に設置されることが好ましい。
【００１２】
このようにすれば、反射部材が地表に設置されるので、比較的広い面積の反射部材を設置することができる結果、屋内を照射する反射光の量を多くすることができる。また、広い面積の反射部材を設置することにより、長い時間、照射することができるようになる。
【００１３】
また、上記反射部材は、建築構造の外壁部または建築構造自体に設置されていることが好ましい。
【００１４】
このようにすれば、反射部材が建築構造の外壁部または建築構造自体に設置されるので、建築構造の周囲の地表を広く他の用途に用いることができるようになる。また、反射部材を外壁部または建築構造自体の上方に設置すれば、反射部材からの反射光が人の目を眩惑させることなく屋内側光触媒担持部を照射することができるようになる。
【００１５】
また、上記反射部材は、外側に傾倒して外壁部に開口部を形成するとともに外光を反射してこの外光の反射光を、開口部を通して上記屋内側光触媒担持部の光触媒に照射する外光導入姿勢と、開口部を閉めた閉止姿勢との間で開閉可能に構成されていることが好ましい。
【００１６】
このようにすれば、反射部材が、外光導入姿勢と、閉止姿勢との間で開閉可能に構成されているので、晴天時には、反射部材を外側に傾倒させて外壁部に開口部を形成し、この開口部を通して外光を導入することにより屋内側光触媒担持部の光触媒に外光を照射することができるようになる。また、雨天時には、開口部を閉めて風雨の屋内への侵入を防止することができるようになる。
【００１７】
さらに、反射部材の角度を自由に調整できるようにすれば、外光の入射角に応じて最適な反射光が得られるようになる。
【００１８】
また、上記建築構造は、建築構造の屋外に臨むように設けられ、付着した汚れや空気を浄化可能な光触媒を表面に担持した屋外側光触媒担持部をさらに備えたことが好ましい。
【００１９】
このようにすれば、屋外側光触媒担持部が、建築構造の屋外に臨むように設けられており、この屋外側光触媒担持部に担持される光触媒が、表面に付着した汚れを浄化するので、建築構造の屋外部分を清潔に維持することができるようになる。また、光触媒が周囲の空気を浄化するので、建築構造の周辺において快適な屋外環境を実現することができるようになる。
【００２０】
また、上記屋内側光触媒担持部に担持された光触媒は、可視光に応答して、付着した汚れや空気を浄化可能な可視光応答型光触媒であり、上記屋外側光触媒担持部に担持された光触媒は、紫外線に応答して、付着した汚れや空気を浄化可能な紫外線応答型光触媒であることが好ましい。
【００２１】
このようにすれば、屋内側光触媒担持部に担持された光触媒が、可視光に効果的に応答するので、紫外線の比較的少ない屋内空間においても効果的に汚れを浄化したり空気を浄化したりすることができるようになり、反射部材も紫外線応答型光触媒を用いる時に比べて小さくてすむようになる。また、屋外側光触媒担持部に担持された光触媒が、より効果的に紫外線に応答するので、紫外線の比較的多い屋外において、より良く汚れを浄化したり空気を浄化したりすることができるようになる。
【００２２】
また、上記建築構造は、天井部および／または内壁部を有し、その少なくとも天井面および／または内壁面は、屋内側光触媒担持部を備えたことが好ましい。
【００２３】
このようにすれば、建築構造の天井部や内壁部の表面に付着した汚れを浄化して、外光が届き難いこれら天井部や内壁部を清潔に維持することができるようになる。また、天井部や内壁部の屋内側光触媒担持部の表面に担持された光触媒が屋内空間の空気を浄化するので、快適な屋内環境を実現することができるようになる。
【００２４】
また、上記建築構造は、屋根部および／または外壁部を有し、その少なくとも屋根面および／または外壁面は、屋外側光触媒担持部を備えたことが好ましい。
【００２５】
このようにすれば、建築構造の屋根部や外壁部の表面に付着した汚れを浄化して、これら屋根部や外壁部を清潔に維持することができるようになる。また、光触媒が屋外空間の空気を浄化するので、建築構造の周辺において快適な屋外環境を実現することができるようになる。
【００２６】
また、上記建築構造は、屋根面と天井面、および／または内壁面と外壁面が、シート状の膜部材の表裏にそれぞれ設けられたテント構造で構成されていることが好ましい。
【００２７】
このようにすれば、屋根面と天井面とが、シート状の膜部材の表裏にそれぞれ設けられたり、内壁面と外壁面とが、シート状の膜部材の表裏にそれぞれ設けられたりするテント構造において、屋内部分と屋外部分とを同時に清潔に維持することができるようになる。また、テント構造の屋内空間と屋外周辺とにおいて快適な環境を実現することができるようになる。
【発明の効果】
【００２８】
以上説明したように、本発明によれば、反射部材が、外光の反射光を、屋内側光触媒担持部の表面に担持された光触媒に照射して表面に付着した汚れを浄化するので、外光が届き難い屋内空間を清潔に維持することができるようになる。また、屋内側光触媒担持部の表面に担持された光触媒が屋内空間の空気を浄化するので、屋内空間において快適な環境を実現することができるという顕著な効果を奏する。
【発明を実施するための最良の形態】
【００２９】
以下、添付図面を参照しながら本発明の好ましい実施の一形態について詳述する。図１は、本発明の第１の実施形態に係る建築構造１０の概略の構成を示す斜視図であり、図２は、本発明の第１の実施形態に係る建築構造１０の概略の構成を示す側面図である。
【００３０】
図１と図２とに示すように、本発明の第１の実施形態に係る建築構造１０は、外壁部１が、建築構造本体２と距離を置いて設置され、その内側に屋内空間６が備えられた建築構造である。
【００３１】
ここで、外壁部１は、内壁面１ａと外壁面１ｃとが、シート状の膜部材の表裏にそれぞれ設けられたものが、鉄骨部材１ｂに取り付けられたテント構造で構成されている。
【００３２】
また、建築構造本体２も、屋根面２ａと天井面２ｂとが、シート状の膜部材の表裏にそれぞれ設けられたものが、鉄骨部材２ｃに取り付けられたテント構造で構成されている。
【００３３】
ここで、シート状の膜部材としては、ケナフ繊維やジュート繊維である天然繊維、ガラス繊維や炭素繊維等の無機繊維、ポリエステル繊維、ポリエチレン繊維、アクリル繊維、ナイロン繊維、アラミド繊維、ポリプロピレン繊維、ポリウレタン繊維である合成繊維の織物または編物に塩化ビニル樹脂、フッ素樹脂、クロロスルフォン化ポリエチレンゴム（ＣＳＭ）、エチレンプロピレンゴム（ＥＰＤＭ）等をコーティングしたものが利用できる。
【００３４】
そして、この建築構造１０の天井部２ｄは、建築構造１０の屋内に臨むように設けられた屋内側光触媒担持部３を全面に備え、建築構造１０の屋根部２ｅと外壁部１とは、建築構造１０の屋外に臨むように設けられた屋外側光触媒担持部５をそれぞれ全面に備えている。
【００３５】
そして、この建築構造１０は、外光Ｒ１を反射してこの外光Ｒ１の反射光Ｒ２を、屋内側光触媒担持部３に照射する反射部材４を備えている。
【００３６】
上記屋内側光触媒担持部３は、付着した汚れと空気とを浄化可能な光触媒を表面に担持しており、この光触媒には、可視光に応答して、付着した汚れと空気とを浄化可能な可視光応答型光触媒が採用されている。
【００３７】
上記反射部材４は、屋外の外光Ｒ１を反射可能な適所に設けられ、外光Ｒ１を反射してこの外光Ｒ１の反射光Ｒ２を、屋内側光触媒担持部３の光触媒に照射するものであるが、第１の実施形態に係る建築構造１０では、反射部材４は、外壁部１の上方に概ね水平になるように設置されている。
【００３８】
この反射部材４は、最外表面に設けられる反射材料４ａと、この反射材料４ａを最外表面に固定する反射部材４の基材４ｂとを備えた平板状の鏡で構成されている。
【００３９】
ここで反射材料４ａには、材料として酸化チタン、酸化亜鉛、シリカ、アルミナ、酸化マグネシウム、フッ素樹脂、雲母から選ばれる少なくとも１種の白色顔料もしくは、ガラスビーズ等が採用可能であり、このうちフッ素樹脂としては、特に限定されないが、ＰＴＦＥ（ポリテトラフルオロエチレン）、ＦＥＰ（テトラフルオロエチレン・ヘキサフルオロプロピレン共重合体）、ＰＦＡ（テトラフルオロエチレン・パーフルオロアルキルビニルエーテル共重合体）、ＥＴＦＥ（テトラフルオロエチレン・エチレン共重合体）、ＰＶＦ（ポリフッ化ビニル）、ＰＶＤＦ（ポリビニリデンフルオライド）等が利用できる。
【００４０】
また、反射部材４の基材４ｂには、材料としてコンクリート、セメントモルタル、アスファルト、タイル、石、金属系素地、木質系素地、ゴム系素地、プラスチック系素地、繊維系素地等が採用可能である。あるいは、これらの２つ以上の組み合わせで形成された基材４ｂも採用可能である。
【００４１】
そして、上記の反射材料４ａを基材４ｂ表面の最外表面に固定する手段としては、粉末の反射材料と樹脂や水分等とを含有させた塗料を基材４ｂ表面に塗布する等の既存技術を用いて固定するのが望ましい。
【００４２】
なお、反射材料４ａ、反射部材４の基材４ｂ、反射材料４ａの固定手段などは、特に上述のものに限定されるものではなく、種々の設計変更が可能である。
【００４３】
上記屋外側光触媒担持部５は、汚れと空気を浄化可能な光触媒を表面に担持したものであるが、ここで用いられる光触媒は、屋内側光触媒担持部３に用いられる可視光応答型光触媒と異なり、紫外線に応答して付着した汚れと空気とを浄化可能な紫外線応答型光触媒が採用されている。
【００４４】
次に、図２を参照して、本発明の実施形態に係る建築構造１０の作用について説明する。
【００４５】
本発明の第１の実施形態に係る建築構造１０においては、まず、反射部材４が、太陽光などの、紫外線および／または可視光を含む外光Ｒ１を反射してこの外光Ｒ１の反射光Ｒ２を、外光Ｒ１が届き難い屋内空間６に設置された屋内側光触媒担持部３の光触媒に照射する。そして、屋内側光触媒担持部３の表面に担持された可視光応答型光触媒が、反射光Ｒ２の可視光に応答して付着した汚れを浄化し、空気を浄化する。
【００４６】
一方、屋外側光触媒担持部５の表面に担持された紫外線応答型光触媒が、太陽光など、空からもたらされる紫外線に応答して、付着した汚れを浄化し、空気を浄化する。
【００４７】
以上説明したように、本発明の第１の実施形態に係る建築構造１０によれば、反射部材４が、外光Ｒ１の反射光Ｒ２を、屋内側光触媒担持部３の表面に担持された光触媒に照射することにより、屋内側光触媒担持部３の表面に付着した汚れを浄化するので、外光Ｒ１が届き難い屋内空間６を清潔に維持することができるようになる。また、屋内側光触媒担持部３に担持された光触媒が屋内空間６の空気を浄化するので、屋内空間６において快適な環境を実現することができる。
【００４８】
また、反射部材４が建築構造１０の外壁部１に設置されるので、建築構造１０の周囲の地表Ｇ（図２）を広く他の用途に用いることができるようになる。また、反射部材４を外壁部１の上方に設置すれば、反射部材４からの反射光Ｒ２が人の目を眩惑させることなく屋内側光触媒担持部３を照射することができるようになる。
【００４９】
また、屋外側光触媒担持部５が、建築構造１０の屋外に臨むように設けられており、この屋外側光触媒担持部５に担持される光触媒が、表面に付着した汚れを浄化するので、建築構造１０の屋外部分を清潔に維持することができるようになる。また、光触媒が周囲の空気を浄化するので、建築構造１０の周辺において快適な屋外環境を実現することができるようになる。
【００５０】
また、屋内側光触媒担持部３に担持された光触媒が、可視光に効果的に応答するので、紫外線の比較的少ない屋内空間６においても効果的に汚れを浄化したり空気を浄化したりすることができるようになり、反射部材も紫外線応答型光触媒を用いる時に比べて小さくてすむようになる。また、屋外側光触媒担持部５に担持された光触媒が、より効果的に紫外線に応答するので、紫外線の比較的多い屋外において、より良く汚れを浄化したり空気を浄化したりすることができるようになる。
【００５１】
また、建築構造１０の天井部２ｄや内壁部１ｄの表面に付着した汚れを浄化して、外光Ｒ１が届き難いこれら天井部２ｄや内壁部１ｄを清潔に維持することができるようになる。また、天井部２ｄや内壁部１ｄの屋内側光触媒担持部３の表面に担持された光触媒が屋内空間６の空気を浄化するので、快適な屋内環境を実現することができるようになる。
【００５２】
また、建築構造１０の屋根部２ｅや外壁部１の表面に付着した汚れを浄化して、これら屋根部２ｅや外壁部１を清潔に維持することができるようになる。また、光触媒が屋外空間の空気を浄化するので、建築構造１０の周辺において快適な屋外環境を実現することができるようになる。
【００５３】
このように、本発明の第１の実施の形態に係る建築構造１０によれば、屋根面２ａと天井面２ｂとが、シート状の膜部材の表裏にそれぞれ設けられ、内壁面１ａと外壁面１ｃとが、シート状の膜部材の表裏にそれぞれ設けられたテント構造において、屋内部分と屋外部分とを同時に清潔に維持することができるようになる。また、テント構造の屋内空間６と屋外周辺とにおいて快適な環境を実現することができるようになる。
【００５４】
次に、図３と図４とを参照して、本発明の第２の実施形態について説明する。なお以下の説明では、本発明の第１の実施の形態に係る建築構造１０と同様の部材には同一の符号を付し、重複する説明を省略するものとする。
【００５５】
図３は、本発明の第２の実施形態に係る建築構造２０の概略の構成を示す斜視図であり、図４は、本発明の第２の実施形態に係る建築構造２０の概略の構成を示す側面図である。
【００５６】
図３と図４とに示すように、本発明の第２の実施形態に係る建築構造２０においては、建築構造２０の外壁部２１は、建築構造本体２２と一体になっており、ヒンジ部２３と、ヒンジ部２３に一端が取り付けられた反射部材２４とを有している。そして、この反射部材２４は、外側に傾倒して外壁部２１に開口部２５を形成するとともに外光Ｒ１を反射して、この外光Ｒ１の反射光Ｒ２を、開口部２５を通して屋内側光触媒担持部３の光触媒に照射する外光導入姿勢２４ａと、開口部２５を閉めた閉止姿勢２４ｂとの間で開閉可能に構成されている。
【００５７】
このように、本発明の第２の実施形態に係る建築構造２０によれば、反射部材２４が、外光導入姿勢２４ａと、閉止姿勢２４ｂとの間で開閉可能に構成されているので、晴天時には、反射部材２４を外側に傾倒させて外壁部２１に開口部２５を形成し、この開口部２５を通して外光Ｒ１の反射光Ｒ２を導入することにより屋内側光触媒担持部３の光触媒に外光Ｒ１を照射することができるようになる。また、雨天時には、開口部２５を閉めて風雨の屋内への侵入を防止することができるようになる。
【００５８】
また、この場合、さらに反射部材の角度を自由に調整できるようにすれば、外光の入射角に応じて最適な反射光が得られるようになる。
【００５９】
また、図５を参照して、本発明の第３の実施形態について説明する。図５は、本発明の第３の実施形態に係る建築構造３０の概略の構成を示す斜視図である。
【００６０】
図５に示すように、本発明の第３の実施形態に係る建築構造３０においては、外壁部１は無く、側面全体に開口部３３を備えており、反射部材３４は、全体が地表Ｇに設置されている。
【００６１】
そして、反射部材３４による外光Ｒ１の反射光Ｒ２を開口部３３を通して屋内に導入することにより屋内側光触媒担持部３の光触媒に外光Ｒ１を照射することができるようになっている。
【００６２】
このように、本発明の第３の実施形態に係る建築構造３０によれば、反射部材３４が地表Ｇに設置されるので、比較的広い面積の反射部材３４を設置することができる結果、屋内を照射する反射光Ｒ２の量を多くすることができる。また、広い面積の反射部材３４を設置することにより、長い時間、屋内側光触媒担持部３を照射することができるようになる。
【００６３】
上述した実施の形態は本発明の好ましい具体例を例示したものに過ぎず、本発明は上述した実施の形態に限定されない。
【００６４】
まず、外壁部１、２１は、内壁面１ａと外壁面１ｃもしくは２１とが、シート状の膜部材の表裏にそれぞれ設けられたものが、鉄骨部材１ｃに取り付けられたテント構造で構成されている構成に必ずしも限定されない。また、建築構造本体２、２２も、屋根面２ａと天井面２ｂとが、シート状の膜部材の表裏にそれぞれ設けられたものが、鉄骨部材２ｃに取り付けられたテント構造で構成されている構成に必ずしも限定されない。屋内空間を備えた建築構造であれば、どのような建築構造に対しても適用可能である。
【００６５】
また、建築構造１０、２０、３０の材料は、特に限定されるものではなく、コンクリート、セメントモルタル、アスファルト、タイル、ガラス、石、金属系素地、木質系素地、ゴム系素地、プラスチック系素地、繊維系素地等が採用可能である。あるいは、これらの２つ以上の組み合わせで形成された材料も採用可能である。
【００６６】
また、屋内側光触媒担持部３は、建築構造１０、２０、３０の天井部２ｄに限らず、内壁部１ｄの表面など、建築構造１０、２０、３０の屋内に臨むように設けられた部分に設けることが可能である。
【００６７】
反射部材４、２４、３４は、必ずしも図示のように最外表面に設けられる反射材料４ａと、この反射材料４ａを最外表面に固定する反射部材４の基材４ｂとを備えた平板状の鏡に限定されない。単なる表面を研磨した金属板でも採用可能であるなど、種々の設計変更が可能である。
【００６８】
その他、本発明の特許請求の範囲内で種々の設計変更が可能であることはいうまでもない。
【図面の簡単な説明】
【００６９】
【図１】本発明の第１の実施形態に係る建築構造の概略の構成を示す斜視図である。
【図２】本発明の第１の実施形態に係る建築構造の概略の構成を示す側面図である。
【図３】本発明の第２の実施形態に係る建築構造の概略の構成を示す斜視図である。
【図４】本発明の第２の実施形態に係る建築構造の概略の構成を示す側面図である。
【図５】本発明の第３の実施形態に係る建築構造の概略の構成を示す斜視図である。
【符号の説明】
【００７０】
１、２１        外壁部
１ａ    内壁面
１ｃ    外壁面
１ｄ    内壁部
２ａ    屋根面
２ｂ    天井面
２ｄ    天井部
２ｅ    屋根部
３      屋内側光触媒担持部
４、２４、３４  反射部材
５      屋外側光触媒担持部
６      屋内空間
１０、２０、３０        建築構造
Ｇ      地表
Ｒ１    外光
Ｒ２    反射光
【図１】
2006177005.tif 000003
【図２】
2006177005.tif 000004
【図３】
2006177005.tif 000005
【図４】
2006177005.tif 000006
【図５】
2006177005.tif 000007